(57)【要約】      （修正有）【課題】たわみの発生を抑制し、効率的に設置作業を行うことができる防水パンを備えた浴室ユニットを提供する。【解決手段】裏面に複数のリブ１１及びボス穴１２を備えた防水パン２であって、上記ボス穴１２の高さが同一であり、このボス穴１２により水平面を有する金属部材１３を固定する防水パン２である。また、この防水パン２を備えた浴室ユニットである。【選択図】図５
2007126911.tif 000002
【特許請求の範囲】
【請求項１】
裏面に複数のリブ及びボス穴を備えた防水パンであって、上記ボス穴の高さが同一であり、このボス穴により水平面を有する金属部材を固定する防水パン。
【請求項２】
請求項１において、ボス穴と金属部材とが、スペーサを介して固定される防水パン。
【請求項３】
請求項２において、スペーサが、その厚みを防水パンのたわみ量に合わせて変化させる防水パン。
【請求項４】
請求項２又は３において、スペーサが、その固定位置を水平方向に移動させる防水パン。
【請求項５】
請求項１及至４の何れかにおいて、金属部材が、防水パン裏面に付設される樋を介して接続される防水パン。
【請求項６】
請求項１及至５の何れかに記載の防水パンを備えた浴室ユニット。
【発明の詳細な説明】
【技術分野】
【０００１】
本発明は、ユニット工法での組み立てに用いられる防水パン及びこの防水パンを備えた浴室ユニットに関する。
【背景技術】
【０００２】
図１は、従来使用されてきた浴室ユニットを示す概略斜視図である。浴室ユニット１は、防水パン２の周囲に壁パネル３を立設させ、更に天井パネル４を設置して浴室を形成している。また、防水パン２は、浴槽５を設置する部分と、洗い場６とを備え、洗い場６には、カウンタ７を配置している。更に、壁パネル３には、鏡８、照明器具９、シャワー１０等を固定し、使用者の使い勝手を向上させるようにしている。
【０００３】
図２は、従来用いられている浴室ユニットの防水パンの裏面を表しており、（ａ）は裏面図、（ｂ）は裏面拡大斜視図である。防水パン２は、合成樹脂を用いて成形されているものが多いが、単板では強度が確保されないので、裏面に直交したリブ１１を設け、このリブ１１に梁の役割を果たさせ、防水パン２及び壁パネル、浴槽等の上部構成部品の荷重を支えるようにしている。
【０００４】
リブ１１には、樋取付け及び脚架台取付け用のボス穴１２が設置されており、このボス穴１２とボルトを用いることで、樋、脚架台を容易に固定することができる。また、防水パン２のたわみに関しては合成樹脂をガラス繊維により補強し、ヤング係数を大きくする方法が一般的にとられている。
【特許文献１】特開２００２−７０１０１号公報
【発明の開示】
【発明が解決しようとする課題】
【０００５】
しかしながら、図１及び図２に示す防水パンは、設置時の応力変化及び雰囲気温度の変化により、たわみが発生する問題があった。
【０００６】
図３を用いて説明すると、防水パン２は、成形から現地搬入に至るまでに、中央が凹み、両端が上側に反るような、たわむ力が生じている。このような防水パン２は、現地据付け時に脚架台を取付けると、図４に示すように、たわむ力がより一層増加する。
また、雰囲気温度の変化による合成樹脂の硬度変化、運搬時の梱包材による長時間の締付け等によっても、たわみが増加する。たわみが増加した防水パンは、壁パネルを垂直に設置できず、壁と床及び壁と天井の間隙を均一にすることが困難となり、設置作業を迅速に行うことができなくなる。
【０００７】
たわみの発生を抑制するには、防水パンの裏面リブを高くすること、成形から現地搬入までの雰囲気温度を一定にすること、梱包材の締付けをゼロにすること等の方法が考えられるが、これらには各々に更なる問題がる。
即ち、リブを高くする場合は、成形型内でリブの先端にまで十分な量の樹脂及びガラス繊維が充填されにくく、リブ部分の強度を落とすことにつながる。雰囲気温度を一定に保つことは、技術的には困難性がないものの、環境保全が重視される中で、エネルギーを大量に消費することにつながり、最終的には製品コストを押し上げてしまう。梱包材の締め付けは、陸上輸送時の振動による荷崩れから製品を保護する必要があるので、現実的ではない。
【０００８】
本発明は、たわみの発生を抑制し、効率的に設置作業を行うことができる浴室ユニットを提供することを目的とする。
【課題を解決するための手段】
【０００９】
（１）本発明は、裏面に複数のリブ及びボス穴を備えた防水パンであって、上記ボス穴の高さが同一であり、このボス穴により水平面を有する金属部材を固定する防水パンである。
（２）項（１）において、ボス穴と金属部材とが、スペーサを介して固定される防水パン。
（３）項（２）において、スペーサが、その厚みを防水パンのたわみ量に合わせて変化させる防水パン。
（４）項（２）又は（３）において、スペーサが、その固定位置を水平方向に移動させる防水パン。
（５）項（１）乃至（４）の何れかにおいて、金属部材が、防水パン裏面に付設される樋を介して接続される防水パン。
（６）項（１）乃至（５）の何れかに記載の防水パンを備えた浴室ユニット。
【発明の効果】
【００１０】
本発明によれば、防水パン裏面リブに同一高さのボス穴を複数備えており、任意のボス穴を用いて、水平面上に複数穴を開けた金属部材を、防水パン裏面に固定することにより、防水パンの剛性を増大させることができる。
【００１１】
防水パンと金属部材との間にスペーサを挟み込んだ場合は、任意の位置においてボス穴と金属部材との間の間隙量を調節することができ、これにより、金属部材を防水パンに対して任意の角度で固定することができる。
【００１２】
端部と中央部とで厚さの異なるスペーサを用いた場合は、金属部材を防水パンに対して、弓形状に固定することができ、防水パンのたわみを抑制することができる。また、防水パンのたわみ量に応じてスペーサの厚みを可変することにより、様々な材質及び成形方法の防水パンに対応することができる。更に、スペーサの位置を水平方向に移動することで、防水パンの水平方向任意の位置のたわみを抑制することができる。
【００１３】
ボス穴は、樋取付け用と併用することにより部品点数を減らすことができる。更に、金属部材と樋とをスペーサを介して同一のボルトで固定することにより、防水パンと樋との密着性を高め、漏水に対するシール性を改善することができる。
【００１４】
金属部材によりたわみが抑制された防水パンを備えた浴室ユニットは、壁を垂直に設置することができ、壁と天井及び壁と床の間隙量を均一にすることが容易となり、結果として、設置作業を容易に行うことができるとともに、漏水に対するシール性を向上させることができる。
【発明を実施するための最良の形態】
【００１５】
本発明に用いる防水パンは、裏面に複数のリブ及びボス穴を備えた防水パンであり、合成樹脂を用いた成形品であって、具体的には、ガラス繊維強化プラスチック及び炭素繊維強化プラスチックを用いたＳＭＣ成形品、ハンドレイアップ成形品、注型成形品、又は、これらの複合成形品を用いることができる。
また、防水パン裏面ボス穴は同一平面上に存在し、金属部材を３点以上で固定できる形状であることが好ましく、樋の取付け用ボス穴と併用できることが好ましい。
【００１６】
本発明に用いる金属部材は、防水パンのボス穴に固定するための水平面を有するものであり、材質及び形状は特に限定されるものではないが、亜鉛メッキ鋼、ステンレス鋼、アルミニウム合金、チタン合金、マグネシウム合金等を用いた山形鋼、溝形鋼、角パイプ、Ｈ形鋼、または、これらの複合加工品を用いることができる。
また、金属部材の水平面には、ボルト貫通用穴が２箇所以上開けられており、スペーサを介して防水パンに固定する場合は、３箇所以上が好ましく、そのボルト貫通用穴位置を金属部材長辺両端及び中央部とすることが好ましい。
更に、金属部材と防水パンとを固定するボルトは、セルフタッピング形状であることが好ましく、ビス頭はトラス又は鍋形状であることが好ましい。
【００１７】
本発明に用いるスペーサは、ボルト貫通用の穴が開けられたもので、その材質及び形状は特に限定されるものではないが、吸水性が低く、酸化し難く、圧縮強度の高いものが好ましい。具体的には、ステンレス、ポリプロピレン、ポリアセタール等を用いて円筒形に加工されたものを用いることができる。
また、スペーサの材質は、特に制限されるものではないが、樹脂成形品を用いることにより、金属部材とスペーサ、又は、スペーサと樋との間の異種金属接触による腐食を防ぐことができ、好ましい。
【００１８】
金属部材を３点以上で防水パンに固定する場合は、金属部材長辺両端のスペーサ厚みを同一とし、長辺中央のスペーサ厚みを可変することにより、当該金属部材を防水パンに対し弓形上に固定することができ、防水パンのたわみをより一層抑制することができる。
また、長辺中央のスペーサ固定位置を金属部材水平面長辺方向の任意の位置に移動することにより、防水パン長辺方向任意の位置のたわみを抑制することができる。
金属部材は、防水パン裏面ボス穴に固定するための水平面に加えて、防水パン裏面リブを補強するため、水平面に対して垂直な面を有していることが好ましく、更に固定作業の容易さから、山形、コの字、角パイプ形状であることが好ましい。
【００１９】
図５は、本発明の１例である防水パンを示す裏面拡大斜視図である。本発明では、防水パン２の裏面に複数のリブ及びボス穴を設けてあり、少なくとも複数のボス穴の高さを同じにしている。そして、水平面を有した金属部材１３である山形鋼が、ボルト１４により固定される。
【００２０】
図６は、金属部材を３点で防水パンに固定する場合であり、金属部材１３の長辺両端のスペーサ１５の厚みを、同一厚みのａとし、長辺中央部のスペーサ１５の厚みをｂ又はｃとすることにより、防水パン２のたわみ量に合わせて調整することができる。
【００２１】
図７は、同様に金属部材を３点で防水パンに固定する場合であるが、金属部材１３の長辺両端のスペーサ１５厚み及び位置を固定とし、長辺中央部のスペーサ位置を両端スペーサ間で変化させることにより、任意の位置のたわみを抑制している。
【００２２】
金属部材とスペーサとを固定する防水パン裏面ボス穴深長は、固定用ボルト長に比し長いものであることが必要であり、その余長は、スペーサ厚みの可変に対して追従できるものとすることが好ましい。
また、固定用ボルトは、金属部材及びスペーサを貫通し、ボス穴に強固に取付けられる構造であることが必要であり、具体的には、セルフタッピング形状であることが好ましく、先端はボス穴底部を傷付けないよう平らであること、また、締付けを行うビス頭は、金属部材水平面との接触面積の多いトラス形状又は鍋形状であることが好ましい。
【実施例】
【００２３】
以下、本発明の実施例について、図面を用いて説明する。
本発明の実施例に用いた防水パンは、株式会社日立ハウステック製ＳＭＣ成形品であり、浴室洗場側パンであって、裏面リブ周囲に樋取付け用のボス穴が備えられたものである。
【００２４】
本発明の実施例に用いた金属部材は、溶融亜鉛メッキ鋼板厚み２．３ｍｍ品を５０ｍｍ×２０ｍｍの山形に加工したものであり、２０ｍｍの水平面上に直径６．５ｍｍの穴を６箇所開けたものである。
【００２５】
本発明の実施例に用いたスペーサは、ポリプロピレン樹脂製であり、直径１６ｍｍの円柱の中心に直径６．５ｍｍのボルト貫通用穴を開けたものである。厚みは、２ｍｍ、４ｍｍ、５ｍｍの３種類を使用し、防水パン両端から上記の順にて取付け、防水パン中央部で左右対称となるように６箇所使用した。
【００２６】
本発明の実施例に用いたボルトは、Ｍ６×２５ｍｍのトラスタッピングビスであり、先端は、ボス穴底部を貫通しないように平らに加工されている。表面は、亜鉛メッキ及び有色クローメート処理がなされており、腐食しにくい。
【００２７】
図８は、本発明の１実施例を示した防水パンの裏面図及び側面図である。
防水パン２の裏面ボス穴１２に、スペーサ１５を介して、金属部材１３である山形鋼を、トラスタッピングビス１６にて６箇所固定する。
スペーサ厚みは、図８に示すように、防水パン２の長辺中央を挟んで左右対称とし、防水パン２の端部から順に２ｍｍ、４ｍｍ、５ｍｍとした。これにより、山形鋼は、防水パン２に対して弓形上に固定され、山形鋼の反発力により防水パンには凸方向の力が作用する。この力により、防水パンの凹方向へのたわみが抑制された。
【００２８】
図９は、図８に示す防水パンの断面を示したものである。
図９（ａ）は、防水パン裏面ボス穴１２に、スペーサ１５を介して山形鋼を固定する場合である。また、図９（ｂ）は、防水パン裏面ボス穴１２に浴室ユニット出入口下部排水樋１７を載置し、スペーサ１５を介して山形鋼を固定する場合である。いずれの場合も共通のボス穴を使用しており、部品点数を少なくすることができ、防水パンのたわみを抑制することにより、樋と防水パンとの密着性を向上し、漏水に対するシール性を改善することができる。
【００２９】
図１０は、本発明の実施例に用いたスペーサを示した平面図及び断面図である。
材質は、吸水性が少なく、圧縮強度に優れるポリプロピレン樹脂を使用しており、水分の付着による機械的性質の変化を抑え、酸化腐食による経年劣化を防ぐとともに、山形鋼と樋の異種金属接触による腐食も防ぐことができる。
【００３０】
図１１は、本発明の実施例に用いた山形鋼を示したものである。
山形鋼は、腐食を抑えるため溶融亜鉛メッキ処理がされ、防水パンに固定される水平面に防水パン裏面ボス穴と位置が一致するように６箇所のボルト貫通用穴が開けられている。これにより、水平面内において任意の位置に任意の数量のタッピングビス及び任意の厚みのスペーサを用いて山形鋼を固定することができる。
【００３１】
以上、本発明の防水パン裏面ボス穴にスペーサを介して金属部材を固定し、たわみを抑制する方法を説明した。このようにたわみが抑制された防水パンを使用した浴室ユニットは、浴室壁を垂直に設置することが容易で、壁と天井及び壁と床との間隙を均一にすることができ、浴室ユニットの設置作業を効率良く行えるとともに、漏水に対するシール性を向上することができる。
【図面の簡単な説明】
【００３２】
【図１】従来例を示す浴室ユニットの概略斜視図である。
【図２】従来例を示す防水パンであり、（ａ）は裏面図、（ｂ）は裏面拡大斜視図である。
【図３】従来の防水パン移送時に発生するたわみを示す概念図である。
【図４】従来の防水パン据え付け時に発生するたわみを示す概念図である。
【図５】本発明の１例を示す防水パンの裏面拡大斜視図である。
【図６】本発明の別の１例である防水パンの側面図である。
【図７】本発明の更に別の１例である防水パンの側面図である。
【図８】本発明の１実施例である防水パンの裏面図及び側面図である。
【図９】図８に示す防水パンの断面図であり、（ａ）排水樋を用いない箇所を示し、（ｂ）は排水樋を用いた箇所を示す。
【図１０】本発明に用いるスペーサの１実施例であり、平面図及び断面図を示す。
【図１１】本発明に用いる金属部材の１実施例であり、平面図及び側面図を示す。
【符号の説明】
【００３３】
１…浴室ユニット、２…防水パン、３…壁パネル、４…天井パネル、５…浴槽、６…洗い場、７…カウンタ、８…鏡、９…照明器具、１０…シャワー、１１…リブ、１２…ボス穴、１３…金属部材、１４…ボルト、１５…スペーサ、１６…トラスタッピングビス、１７…排水樋。
【図１】
2007126911.tif 000003
【図２】
2007126911.tif 000004
【図３】
2007126911.tif 000005
【図４】
2007126911.tif 000006
【図５】
2007126911.tif 000007
【図６】
2007126911.tif 000008
【図７】
2007126911.tif 000009
【図８】
2007126911.tif 000010
【図９】
2007126911.tif 000011
【図１０】
2007126911.tif 000012
【図１１】
2007126911.tif 000013